(57)【要約】  【課題】ヘッドレストを高さ調節できる装置において、高さ調節機構を外部に大きく露出させることなく外観をスッキリさせる。  【手段】ヘッドレスト１７は前後に開口した枠状の本体２５を有しており、本体２５にはシート状サポート材２２が張られている。本体２５の側部２５ａとシート状サポート材との間に空間が空いており、この空間の箇所において本体２５の前面にレール材３０を固定することにより、左右内側に開口した縦長凹所３１を形成し、縦長凹所３１にアーム部材３２のガイド部３２ａを嵌め込んでいる。アーム部材３２はヘッド支柱１６に固定されている。ヘッドレスト１７はアーム部材３２のガイド部３２ａに案内されて上下動する。【選択図】図８
2010099108.tif 000002
【特許請求の範囲】
【請求項１】
背もたれの上方に配置したヘッドレストと、前記ヘッドレストが取り付くヘッド支柱とを有しており、前記ヘッドレストに、ヘッド支柱の上端部に取り付く保持部が上下方向に延びるように設けられており、前記保持部がヘッド支柱に取り付く位置を変更することでヘッドレストの高さ調節が行われる、
椅子用ヘッドレスト装置。
【請求項２】
前記ヘッドレストは、前後に開口した本体とこれに前側から張られた可撓性のシート状サポート材とを有しており、前記シート状サポート材は本体の外周面に取り付けられており、本体の左右側部とシート状サポート材との間に左右内向きに開口した空間が空いており、前記空間の箇所において本体の前面に上下長手のレール材を固定することにより、ヘッドレストの内側に開口した縦長凹所を有する保持部が形成されている一方、
前記ヘッド支柱は前記保持部の縦長凹所に内側から入り込むアーム部を有しており、前記縦長凹所とアーム部とに、弾性的に係脱してヘッドレストを段階的に高さ調節するための係合手段が設けられている、
請求項１に記載した椅子用ヘッドレスト。
【発明の詳細な説明】
【技術分野】
【０００１】
本願発明は、椅子に使用するヘッドレストに関するものである。
【背景技術】
【０００２】
椅子において、着座した人の頭を支持するヘッドレストを設けることは広く行われている。そのうち、ヘッドレストの高さと側面視姿勢とを変更できるようににした椅子の公知例として、例えば特許文献１，２が挙げられる。いずれにしても、従来は、ヘッドレストを高さ調節する方法としては、ヘッドレストから後ろ向きのアーム状部材を突設し、このアーム状部材をヘッド支柱に高さ調節可能に取り付けている。他方、例えば自動車の座席に設けるヘッドレストのように、ヘッド支柱を背もたれに内蔵した受け部材に対して上下位置調節可能に嵌め込むことも行われている。
【特許文献１】特開２００７−３０１０２４号公報
【特許文献２】特開２００４−０５７３９７号公報
【発明の開示】
【発明が解決しようとする課題】
【０００３】
ヘッドレストを高さ調節するに当たっては、一般にヘッドレストを段階的に高さ調節するようになっており、そこで、例えば上下に長く延びる凹凸状受け部とこれに嵌合するストッパーとの嵌め合わせを利用していることが多い。特許文献１，２も基本的にはこのような構成を採用しており、アーム部とヘッド支柱とスライド自在に嵌め合わせて、その嵌め合わせ部に係止手段を設けている。
【０００４】
従って、特許文献１，２ではヘッドレストのアーム部とヘッド支柱とは全体として伸縮することになるが、伸縮する態様は外部に明瞭に顕れるためシンプルさに欠ける感じる場合があった。また、ヘッドレストは背もたれの前面と同じ位置かやや手前に配置することが多い一方、ヘッド支柱は背もたれの後ろに配置されているため、ヘッドレストのアーム部は側面視で傾斜していることが多く、すると、ヘッドレストを上下動させると前後位置も大きく変化してしまって使いづらい場合もあった。
【０００５】
本願発明は、このような現状を改善すべく成されたものである。
【課題を解決するための手段】
【０００６】
請求項１の発明に係るヘッドレスト装置は、背もたれの上方に配置したヘッドレストと、前記ヘッドレストが取り付くヘッド支柱とを有しており、前記ヘッドレストに、ヘッド支柱の上端部に取り付く保持部が上下方向に延びるように設けられており、前記保持部がヘッド支柱に取り付く位置を変更することでヘッドレストの高さ調節が行われるようになっている。
【０００７】
請求項２の発明は請求項１を具体化したものでり、この発明は、請求項１においして、前記ヘッドレストは、前後に開口した本体とこれら張られた可撓性のシート状サポート材とを有しており、前記シート状サポート材は本体の外周面に取り付けられており、本体の左右側部とシート状サポート材との間に内向きに開口した空所が形成されており、前記空所の箇所において本体の前面に上下長手のレール材を固定することにより、ヘッドレストの内側に向いて開口した縦長凹所を有する保持部が構成されている一方、前記ヘッド支柱は前記縦長凹所に内側から入り込むアーム部を有しており、前記縦長凹所とアーム部とに、弾性的に係脱してヘッドレストを段階的に高さ調節するための係合手段が設けられている。
【発明の効果】
【０００８】
本願発明では、ヘッドレストの背面部がヘッド支柱の上端に上下動することでヘッドレストの高さが調節されるものであり、高さ調節機構はヘッドレストの背面部に設けているため、高さ調節機構が過度に露出することはなく、その結果、非常にシンプルな態様となって優れた美感を実現できる。また、ヘッドレストの背面は一般に上下方向に延びているため、ヘッドレストは前後方向には殆ど移動させずに上下動のみさせることができるのであり、このため使い勝手が良い。
【０００９】
ヘッドレストの背面部に設ける保持部は様々の形態を採用できるが、請求項２のようにレール部材（或いは押さえ部材）を固定することで縦長凹所を有する形態を採用すると、簡単な構造でヘッド支柱のアーム部をしっかりと保持できる利点がある。
【００１０】
また、請求項２ではヘッドレストの本体とシート状サポート材との間には内向き空間か空いているため、頭がシート状サポート材を介して本体に当たることはなくてヘッドサポート機能に優れている。また、ヘッド支柱のアーム部は本体の前面の箇所に入り込んでいるため、高さ調節機構は外部には露出しておらず、このため極めてシンプルな外観を呈している。この点、請求項２の大きな特徴である。
【発明を実施するための最良の形態】
【００１１】
次に、本願発明の実施形態を図面に基づいて説明する。本実施形態は、事務用に多用されている回転椅子に適用している。なお、以下の説明では方向を特定するための左右の文言を使用するが、この左右の方向は、着座した人が向いた方向を基準にしている。
【００１２】
(1).概要
まず、図１〜図３に基づいて椅子の概要を説明する。図１のうち（Ａ）は椅子の斜視図で（Ｂ）は背もたれの部分的な一部破断正面図、図２は側面図、図３は背面図である。
【００１３】
椅子は、主要要素として、脚支柱２（ガスシリンダ）を有する脚装置１、脚支柱２の上端に固定されたベース３、ベース３の上方に配置された座４、背もたれ５、オプション品として背もたれ５に取付けられたヘッドレスト装置６を備えている。脚１は放射状に延びる複数本の枝足７を備えており、各枝足７の先端にはキャスタを設けている。
【００１４】
ベース３の左右両側には左右一対の揺動フレーム８が配置されている。揺動フレーム８は、非ロッキング時に水平に近い姿勢で後傾している基部９とその後端から立ち上がった背支柱１０とから成っている。そして、揺動フレーム８はその前端部を中心にして後傾動（回動）するように、基部９の前端部がベース３に左右長手の支軸部１１で連結されている。
【００１５】
背もたれ５は、正面視略四角形のバックフレーム１２にサポートシート１３が張られた構成であり、バックフレーム１２は揺動フレーム１０の支柱１０にビスで固定されている。サポートシート１３のうち人の腰部が当たるランバーサポート部の左右両側部には裏側からランバーパッド１４が当たっている。
【００１６】
バックフレーム１２は樹脂の成形品であり、例えば図３から理解できるように、上下方向に長く延びる左右サイドメンバー１２ａと、左右サイドメンバー１２ａの上端に繋がったアッパーメンバー１２ｂと、左右サイドメンバー１２ａの下端に繋がったロアメンバー１２ｃとから成っている。従って、バックフレーム１２は正面視で略四角形の形態を成している。アッパーメンバー１２ｂ及びロアメンバー１２ｃは平面視で前向き凹状に緩く湾曲している。
【００１７】
背支柱１０の箇所にはロッキングすると背もたれ５に対して相対的に後傾動するリアリンク（図示せず）を設けており、ランバーパッド１４はリアリンクの上端に取り付けられている。従って、ロッキングするとランバーパッド１４が背もたれ６に対して相対的に後退し、その結果、サポートシート１３のテンションは緩む。
【００１８】
ヘッドレスト装置６は、バックフレーム１２におけるサイドメンバー１２ａの左右内側面から立ち上がった左右のヘッド支柱１６を有しており、ヘッド支柱１６にヘッドレスト１７が高さ調節可能に取り付けられている。ヘッド支柱１６はその下端寄りの部位を中心にして前後に回動するようにピン等でサイドメンバー１２ａに連結されており、かつ、ヘッド支柱１６の下端は、弾性ジョイント１８を介してリアリンクに連結されている。ロッキングに際してはヘッド支柱１６はその上部が手前に移動するように回動する。また、弾性ジョイント１８の作用により、背もたれ５とは独立してヘッドレスト６のみを前後に傾動させることも可能である。
【００１９】
(2).ヘッドレスト装置
次に、図４〜図８８も参照してヘッドレスト装置６を説明する。図４〜図７はそれぞれヘッドレスト装置の構造を示す斜視図（或いは分離斜視図）、図８はヘッドレスト１７の左側部の平断面である。
【００２０】
まず、ヘッドレスト装置６の全体構成を補足しておく。図１や図３ではヘッド支柱１６は片方しか表示していないが、ヘッド支柱１６は左右一対あってこれらはサイドメンバー１２ａに連結されている。図３から明瞭に把握できるように、左右のヘッド支柱１６は、バックフレーム１２のサイドメンバー１２ａに連結された下端部１６ａと、下端部１６ａから立ち上がって上に行くに従って背支柱１０の縦長中心線（図示せず）に向けて傾斜した傾斜部１６ａと、傾斜部１６ａから正面視で鉛直方向に立ち上がった上平行部１６ｃとを有している。
【００２１】
左右のヘッド支柱１６は上平行部１６ｃの下端部において横バー２０で連結されている。この場合、例えば図６（Ｂ）に示すように、ヘッド支柱１６に略角形の位置決め突起２２を設ける一方、横バー２０の端面には位置決め突起２２にきっちり嵌まる位置決め穴２３を形成し、横バー２０に挿通したビス２４を位置決め突起２２にねじ込んでいる。このため横バー２０はヘッド支柱１６にしっかりと固定されている。なお、ヘッド支柱１６や横バー２０の素材は特に限定はないが、ヘッド支柱１６を揺動フレーム８と同様にアルミ製とすると、メリハリが効いていて見た目が良い。
【００２２】
図２に示すように、傾斜部１６ａは非ロッキング状態では側面視で後傾姿勢になっており、上平行部１６ｃは非ロッキング状態では側面視で前傾姿勢になっている。従って、傾斜部１６ｂと上平行部１６ｃとにより、側面視で前向き凹に曲がったくの字状の形態が構成されている。
【００２３】
ヘッドレスト１７は、正面視略四角形で前後に開口した枠状の本体２５とこれに張ったシート状サポート材２６とを有している（本体２５は、本体枠又はヘッドフレームと呼ぶことも可能である。）。例えば図４（Ｂ）に示すように、本体２５の外周面には溝条２７が全周にわたって延びるように形成されており、シート状サポート材２６の外周縁に固定した縁部材２２′（図８参照）を溝条２７に嵌め込んでいる。縁部材は本体２５の４つの辺に対応して４つに分離しており、また、シート状サポート材２７は背もたれ５のサポートシート１３と同様に縦縞模様を呈している（他の柄でも良い。）。
【００２４】
ヘッドレスト１７の本体２５は平面視で前向き凹状に湾曲しており、従って、本体２５の左右側部２５ａとシート状サポート材２６との間には左右内側に開口した空間が空いている。また、例えば部４（Ａ）に示すように、本体２５の左右側部２５ａにはその外端部寄りに位置した前向きのリブ２８を形成しており、このため、リブ２８の内側はシート状サポート材２６が当たらない空間になっている。
【００２５】
そして、本体２５の左右側部２５ａの上下両端寄り部位で且つリブ２８の内側の部位にボス部２９を突設し、このボス２９に上下長さのレール材３０をビスで固定している。これにより、レール材２９と本体２５とリブ２８とでヘッドレスト１７の内側に向いて開口した縦長空所３１（図７（Ａ）及び図８参照）が形成されており、この縦長空所３１の箇所を請求項に記載した保持部と成している。正確には、本体２５の側部２５ａとリブ２８とレール材３０とで保持部が構成されている。
【００２６】
他方、例えば図５や図６に示すように、ヘッド支柱１６の上端（先端）にはアーム部材３２がビス３３で固定されている。ヘッドレスト１７の先端にはアーム部材３２の基端部が嵌まる凹所３４を形成しており、このためアーム部材３２はヘッド支柱１６の上平行部１６ｃにしっかりと固定されている。
【００２７】
アーム部材３２の先端には上下に長いガイド部３２ａが形成されており、従ってアーム部材３２は全体としては略Ｔ形になっている。ガイド部３２ａは本体２５の側部２５ａとレール材３０との間に入り込んでおり、ガイド部３２ａにはレール材３０が重なる段部３６を形成している。従って、ガイド部３２ａとヘッドレスト１７とはガタ付きなく上下方向に相対動し得る。
【００２８】
例えば図６に示すように、アーム部材３２におけガイド部３２ａのうち本体２５の側部２５ａに対向した部位には角形の凹所３７を形成し、この凹所３７に、係合手段として、先端を背面視で山形に形成したストッパー３８が左右スライド自在に嵌め込れている。また、凹所３７にはストッパー３８を外側に押す弾性手段の一例としてゴム３９も嵌め込でいる（図６ではゴムは省略している。）。他方、例えば図４や図５に示すように、縦長空所３１の奥部には、係合手段として、リブ２８に繋がった状態で多数の係合突起４０が多数形成されており、隣り合った係合突起４０の間にストッパー３８の先端部が嵌まるようになっている。
【００２９】
以上の構成において、ストッパー３８がゴム３９を圧縮させて後退することにより、ヘッドレスト１７を上下動させることができる。また、ストッパーの３８の先端部が隣り合った係合突起４０の間の空間に嵌まり込むことにより、ヘッドレスト１７はその高さ位置が保持される。
【００３０】
そして、例えば図３から理解できるように、椅子のバックビューにおいてアーム部材３２のガイド部３２ａはその全体が本体２５の前に隠れているため、ヘッドレスト１７の高さ調節機構は外部に殆ど露出せずに全体としてスッキリとしている。また、ガイド部３２ａはレール材３０で覆われているが、レール材３０は本体２５と一体であるかのような外観を呈しているため、仮にシート状サポート材２６が透けるものであっても人に違和感を与えることはない。
【００３１】
なお、図８に明示するように、アーム部材３２におけるガイド部３２ａの先端は本体２５のリブ３８とレール材３０との間から前方に露出しており、このためガイド部３２ａがレール材３０でしっかりとガイドされているが、レール材３０で隠すことも可能である。また、図８に明示するようにレール材３０の左右内端部に後ろ向き凸条３０ａを設けてこれをガイド部３２ａに形成した溝条４１に嵌め合わせている。このため、ヘッドレスト１７はガタ付きのない状態に保持されている。
【００３２】
(3).その他
本願発明は上記の実施形態の他にも様々に具体化できる。例えばヘッドレスト装置の具体的態様は図示のものには限定されず、ヘッド支柱やヘッドレストなど様々に変更できる。アーム部材はヘッド支柱に一体に設けても良い。また、ヘッドレストはクッションを有する方式でも良いのであり、この場合は、本体を板状に形成してこれにクッションを張るか、又は、クッションが張られたインナーシェルを本体２５に固定するかしたら良い。
【００３３】
更に、本願発明では本体の背面（裏面）に保持部を形成しても良いのである。具体的には、本体の背面にレール材を固定して、ヘッド支柱のアーム部材に設けたガイド部を嵌め込んだら良い。ヘッドレストを段階的に高さ調節する係合手段としては、ストッパーが嵌まる凹所や溝穴を多段に形成するたなど様々な構成を採用できる。
【図面の簡単な説明】
【００３４】
【図１】（Ａ）は実施形態に係る椅子の斜視図で（Ｂ）は背もたれの部分的な一部破断正面図である。
【図２】椅子の側面図である。
【図３】椅子の背面図である。
【図４】（Ａ）（Ｂ）ともヘッドレストを前から見た分離斜視図である。
【図５】（Ａ）はヘッドレスト装置の全体の分離斜視図、（Ｂ）はヘッドレスト装置の部分的な分離斜視図である。
【図６】（Ａ）はヘッド支柱の構造を示す分離斜視図、（Ｂ）はレール材とアーム部材との重なり状態を示す斜視図である。
【図７】（Ａ）はシート材を省略した状態でのヘッドレストの前方からの斜視図、（Ｂ）はアーム部材の斜視図である。
【図８】ヘッドレストの部分的な平断面図である。
【符号の説明】
【００３５】
１  脚装置
３  ベース
４  座
５  背もたれ
６  ヘッドレスト装置
１６  ヘッド支柱
１７  ヘッドレスト
２５  本体
２６  シート状サポート材
２８  リブ
３０  レール材
３１  縦長凹所
３２  アーム部材
３２ａ  ガイド部
３８  係合手段の一環を成すストッパー
４０  係合手段の一環を成す係合突起
【図１】
2010099108.tif 000003
【図２】
2010099108.tif 000004
【図３】
2010099108.tif 000005
【図４】
2010099108.tif 000006
【図５】
2010099108.tif 000007
【図６】
2010099108.tif 000008
【図７】
2010099108.tif 000009
【図８】
2010099108.tif 000010